(57)【要約】【課題】ワイヤハーネスの幹線先端から支線が分岐する分岐部に外装するプロテクタの小型化を図る。【解決手段】ワイヤハーネスの幹線先端から２本以上の支線が分岐する部分に外装するプロテクタであって、前記本体とカバーとの分岐用筒部の内面には、扇型支点側の基端開口位置から支線分岐側の先端へと向けて幹線に外嵌する円弧状の窪み部と該窪み部の両端から突設するガイド部からなる幹線収容部を設け、本体とカバーとの接合時に前記窪み部とガイド部とで幹線全周を囲んで位置決め保持する形状とし、かつ、前記本体とカバーとは支線用筒部の一側端支線用筒部の分割端を薄肉ヒンジ部を介して連結すると共に、他側端支線用筒部の外側分割端および前記分岐用筒部の扇形両側端にそれぞれに互いに結合するロック部と被ロック部を設けている。【選択図】図２
2007306733.tif 000002
【特許請求の範囲】
【請求項１】
ワイヤハーネスの幹線先端から２本以上の支線が分岐する部分に外装するプロテクタであって、
幹線挿入側から支線分岐側へと扇形に拡がる分岐用筒部と、該分岐用筒部の先端側で複数に分岐する支線用筒部とを一体成形で設け、前記分岐用筒部と支線用筒部を連続させた筒部全体を半割り形状として本体とカバーとに分割すると共に分割端の一端側は薄肉ヒンジ部を介して連結する一方、他端側ではロック部を設けて結合する構成とし、かつ、
前記本体とカバーとの分岐用筒部の内面には、扇型支点側の基端開口位置から支線分岐側の先端へと向けて前記幹線を外嵌する円弧状の窪み部と該窪み部の両端から突設するガイド部とからなる幹線収容部を設け、本体とカバーとの接合時に前記窪み部とガイド部とで幹線全周を囲んで位置決め保持する形状としていることを特徴とするワイヤハーネス分岐部のプロテクタ。
【請求項２】
前記ワイヤハーネスの幹線および支線にはそれぞれコルゲートチューブを外装させており、
前記幹線収容部の窪み部およびガイド部の内周面、さらに支線用筒部の先端側の内周面に、前記コルゲートチューブの谷部に嵌合するリブを環状に突設している請求項１に記載のワイヤハーネス分岐部のプロテクタ。
【発明の詳細な説明】
【技術分野】
【０００１】
本発明はワイヤハーネス分岐部のプロテクタに関し、詳しくは、ワイヤハーネスの幹線先端から２本以上の支線が分岐する部分に外装するプロテクタであって、特に、幹線および各支線にそれぞれコルゲートチューブを外装している場合に、これらコルゲートチューブによりカバー出来ずに露出している分岐位置の電線群をカバーするプロテクタに関し、該プロテクタの小型化を図るものである。
【背景技術】
【０００２】
自動車に配索されるワイヤハーネスは、所要位置で幹線から支線が分岐され、車両に設置されている各電気機器に接続されている。
自動車に配索するワイヤハーネスは、ワイヤハーネスを構成する電線群を集束すると共に他の車載部品等から保護するために、チューブ内に通したり、テープ巻きしている。
従来、ワイヤハーネスは電線群をテープ巻きして集束している場合が多いが、テープ巻きは熟練を有すると共に作業手数がかかることより、近時、合成樹脂製で所要の強度を有すると共に、谷部と山部とが軸線方向に交互に設けられて屈曲性に富んだコルゲートチューブが外装されることが多い。
【０００３】
このようにコルゲートチューブを用いると、幹線から支線が分岐する分岐位置では、分岐位置の両側の幹線を夫々通す両側のコルゲートチューブ端と支線を通すコルゲートチューブ端に挟まれた分岐部では電線群が露出することとなる。よって、この分岐部に露出する電線群を外装するためにプロテクタを取り付けることが必要となる。
【０００４】
この種のプロテクタとしては、従来、ワイヤハーネスの幹線に装着する幹線用筒部と、分岐部分に装着する分岐用筒部と、分岐した複数の支線に装着する複数の支線用筒部とからなり、幹線用筒部に幹線に装着したコルゲートチューブの先端部分を挿入して位置決め保持し、支線用筒部に支線に装着したコルゲートチューブの先端部分を挿入して位置決め保持している。
【０００５】
例えば、特開平１１−８９２２号公報（特許文献１）が提供されているワイヤハーネスの分岐部分に装着するプロテクタでは、図７に示すように、プロテクタ１は別体とされた本体２と蓋体３とから構成され、本体２の一端側には第一チューブ収容室４を設けると共に、第一チューブ収容室４から束収容室５を介した本体２の他端側に、第二チューブ収容室６および第三チューブ収容室７が並列して設けられ、各第一、第二、第三チューブ収容室４、６、７に配置される電線束８にはコルゲートチューブ９を外装している。
【０００６】
前記プロテクタ１は、第一チューブ収容室４と束収容室５と第二および第三チューブ収容室６、７を電線束８の挿通方向に直列配置しているため、プロテクタ１の電線束８の挿通方向の長さが長くなっている。
このように、従来のこの種のプロテクタでは、分岐用筒部の両側から分幹線筒部と支線用筒部とが突出しているため、プロテクタは大型化している。このように、プロテクタが大型化すると設置スペースに制約を受けると共にコスト高になる問題がある。
【０００７】
【特許文献１】特開平１１−８９２２号公報
【発明の開示】
【発明が解決しようとする課題】
【０００８】
本発明は、前記問題に鑑みてなされたものであり、プロテクタの小型を図ることで、設置スペースをとらず、かつ、安価に形成できるプロテクタを提供することを課題としている。
【課題を解決するための手段】
【０００９】
前記課題を解決するために、本発明は、ワイヤハーネスの幹線先端から２本以上の支線が分岐する部分に外装するプロテクタであって、
幹線挿入側から支線分岐側へと扇形に拡がる分岐用筒部と、該分岐用筒部の先端側で複数に分岐する支線用筒部とを一体成形で設け、前記分岐用筒部と支線用筒部を連続させた筒部全体を半割り形状として本体とカバーとに分割すると共に分割端の一端側は薄肉ヒンジ部を介して連結する一方、他端側ではロック部を設けて結合する構成とし、かつ、
前記本体とカバーとの分岐用筒部の内面には、扇型支点側の基端開口位置から支線分岐側の先端へと向けて前記幹線を外嵌する円弧状の窪み部と該窪み部の両端から突設するガイド部とからなる幹線収容部を設け、本体とカバーとの接合時に前記窪み部とガイド部とで幹線全周を囲んで位置決め保持する形状としていることを特徴とするワイヤハーネス分岐部のプロテクタを提供している。
【００１０】
前記のように、幹線用筒部を分岐用筒部から突出させず、分岐用筒部内に幹線を位置決め保持する窪み部とガイド部とからなる幹線収容部を設けているため、プロテクタのワイヤハーネス挿通方向の長さを短縮することができる。よって、プロテクタ自体を小型化することができると共に、プロテクタを小型化することで設置スペースを小さくすることができるので、空いたスペースを有効に使うことができる。
また、前述したプロテクタの小型化に伴い、材料費を抑えることができるのでコストを削減することができると共に、幹線用筒部分の重さを軽くすることができるので、プロテクタを軽量化することができる。
【００１１】
前記ワイヤハーネスの幹線および支線にはそれぞれコルゲートチューブを外装させており、
前記幹線収容部の窪み部およびガイド部の内周面、さらに支線用筒部の先端側の内周面に、前記コルゲートチューブの谷部に嵌合するリブを環状に突設していることが好ましい。
【００１２】
前記構成とすると、幹線に装着したコルゲートチューブの端部を分岐用筒部内で位置決め保持できると共に、支線に装着したコルゲートチューブの端部も支線用筒部内で位置決め保持できる。よって、ワイヤハーネスが急激に屈曲しようとしても、コルゲートチューブの先端側で発生しがちなコルゲートチューブの口開きを防止することができる。よって、プロテクタの小型化に伴い、プロテクタ内でワイヤハーネスが屈曲可能な距離が短くなっても、コルゲートチューブとワイヤハーネスとの干渉を防止することができる。
さらに、プロテクタの内部にコルゲートチューブの位置決め用保持する形状を備えることで、コルゲートチューブをプロテクタに固定するためにテープ巻きをする必要がなく、作業工数を削減することができる。
【００１３】
なお、ワイヤハーネスの幹線及び支線の電線群をコルゲートチューブに通して集束および保護する代わりに、丸チューブで外装して分岐部に電線群が露出している場合、さらに、幹線および支線をテープ巻きで外装して分岐部に電線群が露出している場合にも、本発明のプロテクタは適用可能である。
【発明の効果】
【００１４】
前述したように、本発明によれば、幹線を位置決め保持する窪み部とガイド部を分岐用筒部の内面に設けているため、窪み部およびガイド部を分岐用筒部からワイヤハーネス挿入側に突設させて設ける必要が無く、プロテクタのワイヤハーネス挿通方向の長さを短縮することができる。よって、プロテクタ自体を小型化することができると共に、プロテクタを小型化することで空いたスペースを有効に使うことができる。
【００１５】
また、ワイヤハーネスにコルゲートチューブを外装した場合でも、分岐用筒部内のコルゲートチューブの端部でワイヤハーネスが急激に屈曲しようとしても、分岐用筒部内面から突設している前記ガイド部がワイヤハーネスを挿通方向に保持するため、コルゲートチューブ出口で発生するワイヤハーネスの口開きを防止することができる。よって、プロテクタの小型化に伴い、プロテクタ内でワイヤハーネスが屈曲可能な距離が短くなっても、コルゲートチューブとワイヤハーネスとの干渉を防止することができる。
【発明を実施するための最良の形態】
【００１６】
以下、本発明の実施形態を図面を参照して説明する。
図１乃至図４は本発明の第１実施形態を示す。
本発明のプロテクタ１０は、図１に示すように、１本の幹線２１の先端から３本の支線２２が分岐しているワイヤハーネス２０の分岐部分に外装するものである。
【００１７】
プロテクタ１０は幹線２１の挿入側から支線２２の分岐側へと扇形に拡がる分岐用筒部１１と、該分岐用筒部１１の先端側で３つに分岐する支線用筒部１２とを一体成形で設けている。前記ワイヤハーネス２０の幹線２１および各支線２２には夫々コルゲートチューブ３０を外装しており、分岐位置ではこれらコルゲートチューブ３０の先端間で電線群が露出している。
【００１８】
プロテクタ１０は、図３に示すように、本体１３とカバー１４とからなる半割り形状とし、分岐用筒部１１および支線用筒部１２は、分割端面１３ａ、１４ａで分岐用半筒部１１Ａ、１１Ｂおよび支線用半筒部１２Ａ、１２Ｂにそれぞれ分割している。
【００１９】
前記分岐用筒部１１は、一端をワイヤハーネス２０の挿入口となる基端開口１１ａとし、他端を支線用筒部１２に分岐して連通させており、基端開口１１ａ位置を扇型支点とした略扇形状としている。
前記本体１３とカバー１４との分岐用筒部１１の内面には、前記基端開口１１ａ位置から支線２２の分岐側の先端に向けて、幹線収容部１５を設けている。該幹線収容部１５は幹線２１に装着したコルゲートチューブ３０を外嵌する円弧状の窪み部１５ａと該窪み部１５ａの両端から円弧状に突設するガイド部１５ｂとからなる。これら本体１３とカバー１４との幹線収容部１５は、本体１３にカバー１４を被せて接合した時には、窪み部１５ａとガイド部１５ｂで円環状の幹線収容部１５を形成している。
【００２０】
前記本体１３およびカバー１４の幹線収容部１５の内周面の先端側には、環状に２つの環状リブ１５ｃを突設している。該環状リブ１５ｃは、図２に示すように、幹線２１に装着したコルゲートチューブ３０の谷部３０ａに係合して位置決め保持するものである。
【００２１】
前記支線用筒部１２は、両側の一対の両側端支線用筒部１６、１８と両側端支線用筒部１６、１８に挟まれた中間支線用筒部１７とからなる。これら支線用筒部１２は一端側を分岐用筒部１１と連通させると共に、他端側を支線の引出口１２ａとしている。
前記両側端支線用筒部１６、１８および中間支線用筒部１７は、前記したように、本体１３側とカバー１４側とに分割し、両側端支線用半筒部１６Ａ、１６Ｂ、１８Ａ、１８Ｂおよび中間支線用半筒部１７Ａ、１７Ｂとなる。
【００２２】
前記本体１３の両側支線用半筒部１６Ａ、１８Ａと中間支線用半筒部１７Ａ、および前記カバー１４の両側支線用半筒部１６Ｂ、１８Ｂと中間支線用半筒部１７Ｂは境界部１３ｂ、１４ｂを介して連続していると共に、前記本体１３側の一側端支線用半筒部１６Ａの外側分割端１６ａと前記カバー１４側の一側端支線用半筒部１６Ｂの外側分割端１６ｂとを薄肉ヒンジ部１３ｃを介して連結している。
【００２３】
前記本体１３側の他側端支線用半筒部１８Ａの外側分割端１８ａには被ロック部１８ｃを設けている一方、カバー１４側の他側端支線用半筒部１８Ｂの外側分割端１８ｂにはロック部１８ｄを設けている。また、本体１３側の分岐用半筒部１１Ａの扇形両側端１１ｂには被ロック部１１ｃを設けている一方、カバー１４側の分岐用半筒部１１Ｂの扇形両側端１１ｄにはロック部１１ｅを設けている。
【００２４】
前記両側端支線用筒部１６、１８および中間支線用筒部１７の先端側内周面には、環状リブ１９を円環状に突設し、図２に示すように、支線２２に装着するコルゲートチューブ３０の谷部３０ａを係合して支線２２を位置決め保持するようにしている。
【００２５】
図４（Ａ）（Ｂ）に示すように、前記環状リブ１９は分割端面１９ａ、１９ｂで本体１３とカバー１４とに分割され、半円環の環状リブ１９Ａ、１９Ｂとなる。
一側端支線用半筒部１６Ａと中間支線用半筒部１７Ａとの境界部１３ｂに位置する環状リブ１９の分割端面１９ａの内側部からは、一対の爪１９ｃを周方向の上方に向けて突設し、先端に係止爪部１９ｄを設けている。また、爪１９ｃの間の本体１３側の分割端面１３ａから本体１３の内周面に沿って、矩形状の溝１３ｄを設けている。
図３に示すように、他側端支線用半筒部１８Ａと中間支線用半筒部１７Ａとの境界部１３ｂにも、爪１９ｃと溝１３ｄとを設けている。
【００２６】
図４（Ａ）（Ｃ）に示すように、カバー１４側の一端支線用半筒部１６Ｂと中間支線用半筒部１７Ｂとの境界部１４ｂに位置する半円環状の環状リブ１９Ｂの端部には、本体１３とカバー１４を結合させた状態で、前記爪１９ｃと対向する位置に爪係止溝１９ｅを切り欠いている。
【００２７】
前記境界部１４ｂに位置する２つの前記半円環状の環状リブ１９Ｂ間の分割端面１４ａからは、直方体形状の嵌合リブ１４ｃを周方向に突設している。該嵌合リブ１４ｃは本体１３側に設ける前記溝１３ｄに嵌まり合う形状とし、本体１３の溝１３ｄに嵌合リブ１４ｃを嵌合することで、本体１３とカバー１４の軸方向の動きを拘束している。
図３に示すように、他側端支線用半筒部１８Ｂと中間支線用半筒部１７Ｂとの境界部１４ｂにも、嵌合リブ１４ｃと爪係止溝１９ｅとを設けている。
【００２８】
図５（Ａ）（Ｂ）に示すように、本体１３に対してカバー１４を薄肉ヒンジ部１３ｃを回転して被せることにより、カバー１４側に設けている嵌合リブ１４ｃを本体１３側に設けられている溝１３ｄに挿入すると、爪１９ｃが爪係止溝１９ｅとに係止するようにしている。
前記爪１９ｃと爪係止溝１９ｅとを係止すると、他側端支線用半筒部１８Ａ、１８Ｂに設けたカバー１４側のロック部１８ｄが本体１３側の被ロック部１８ｃに結合すると共に、分岐用筒部１１に設けたカバー１４のロック部１１ｅが本体１３側の被ロック部１１ｃに結合し、本体１３とカバー１４とがロック結合されるようにしている。
【００２９】
前記構成からなるプロテクタ１０にワイヤハーネス２０を取り付ける方法は、まず、本体１３側に、それぞれコルゲートチューブ３０を幹線２１および支線２２に装着したワイヤハーネス２０を取り付ける。其の際、幹線２１に装着したコルゲートチューブ３０の先端側を分岐用筒部１１の内部に設けた幹線収容部１５に内嵌し、コルゲートチューブ３０の谷部を環状リブ１５ｃと嵌合して位置決め保持する。
また、支線２２に装着したコルゲートチューブ３０を各支線用筒部１２に取り付け、これらコルゲートチューブ３０の谷部を環状リブ１９と嵌合して位置決め保持する。
ついで、カバー１４を薄肉ヒンジ部を１３ｃを支点として回転して本体１３に被せ、他端側で前記ロック部１８ｄと被ロック部１８ｃ、ロック部１１ｅと被ロック部１１ｃをロック結合する。其の際、支線用筒部１２側では境界部において嵌合リブ１４ｃが溝１３ｄに嵌合し、爪１９ｃが爪係止溝１９ｅと係止し、本体１３側とカバー１４側の各支線用筒部１１がしっかりと係止される。
【００３０】
前記のように、本発明のプロテクタ１０では、幹線２１のコルゲートチューブ３０を位置決め保持する窪み部１５ａとガイド部１５ｂとからなる幹線収容部１５を分岐用筒部１１の内面に設けているため、幹線用筒部を分岐用筒部から外方に突設する必要が無く、プロテクタ１０のワイヤハーネス挿通方向の長さを短縮することができる。
【００３１】
また、分岐用筒部１１内のガイド部１５ｂでコルゲートチューブ３０の端部をしっかりと位置決め保持しているため、幹線２１に屈曲方向の引張力が作用しても、コルゲートチューブ３０の出口で発生するコルゲートチューブのスリットからの口開きを防止でき、コルゲートチューブ３０のスリットに幹線２１が干渉することを防止できる。
【００３２】
図６は本発明の第２実施形態を示す。
第２実施形態のプロテクタ１０は分岐用筒部１１’を長方形状とし、分岐用筒部１１’のワイヤハーネス２０挿入側の外側分割端１１ｂ’、１１ｄ’に被ロック部１１ｃ’とロック部１１ｅ’とを設けている構成を第１実施形態と相違させている。
なお、他の構成および作用効果は第１実施形態と同様のため、同一の符号を付して説明を省略する。
【図面の簡単な説明】
【００３３】
【図１】本発明の第１実施形態に係るプロテクタにコルゲートチューブを外嵌しているワイヤハーネスを挿通させた状態の斜視図である。
【図２】図１のプロテクタのカバーを開いた状態を示す平面図である。
【図３】第１実施形態に係るプロテクタを開いた状態を示す斜視図である。
【図４】（Ａ）は第１実施形態に係るプロテクタの要部を拡大した斜視図、（Ｂ）は（Ａ）のＡ−Ａ線断面図の要部を拡大した図、（Ｃ）はＢ−Ｂ線断面図の要部を拡大した図である。
【図５】（Ａ）は第１実施形態に係るプロテクタの本体とカバーとが嵌合した状態を示す斜視図、（Ｂ）は（Ａ）の要部を拡大した正面図である。
【図６】第２実施形態に係るプロテクタは示す斜視図である。
【図７】従来例を示す図である。
【符号の説明】
【００３４】
１０  プロテクタ
１１  分岐用筒部
１１ｃ  被ロック部
１１ｅ  ロック部
１２  支線用筒部
１３  本体
１３ｃ  薄肉ヒンジ部
１３ｄ  溝
１４  カバー
１４ｃ  嵌合リブ
１５  幹線収容部
１５ａ  窪み部
１５ｂ  ガイド部
１６  一側端支線用筒部
１６ａ、１６ｂ  外側分割端
１７  中間支線用筒部
１８  他側端支線用筒部
１８ａ、１８ｂ外側分割端
１８ｃ  被ロック部
１８ｄ  ロック部
１９  嵌合環状リブ
２０  ワイヤハーネス
２１  幹線
２２  支線
３０  コルゲートチューブ
３０ａ  谷部
【図１】
2007306733.tif 000003
【図２】
2007306733.tif 000004
【図３】
2007306733.tif 000005
【図４】
2007306733.tif 000006
【図５】
2007306733.tif 000007
【図６】
2007306733.tif 000008
【図７】
2007306733.tif 000009